(57)【特許請求の範囲】
【請求項１】
滅菌ガスまたは蒸気が通過可能な多孔性不織布または多孔性紙からなる矩形状の基材と、
基材との間でヒートシールされてヒートシール部を形成するとともに、基材との間で内視鏡用クリップを収納する矩形状のヒートシール性透明フィルムと、を備え、
基材とフィルムとの間のヒートシール部は、剥離可能な弱シール部と、弱シール部より強力にヒートシールする強シール部とからなり、
ヒートシール部は山形状部分と、この山形状部分に対向する一辺と、山形状部分とこの対向する一辺との間の一対の側辺とからなる五角形状をなし、山形状部分と、一対の側辺とによって弱シール部が構成され、対向する一辺によって強シール部が構成され、
ヒートシール性フィルムは、基材の一辺から突出した摘みしろを有し、山形状部分の弱シール部の先端は摘みしろ側を向き、フィルムと基材の残りの辺は互いに揃っており、内視鏡用クリップの基端が山形状部分を向くことを特徴とする内視鏡用クリップ包装体。
【請求項２】
外箱と、
外箱内に移動自在に配置され内部に内視鏡用クリップを収納した内箱とを備え、
内箱は一対の側面パネルと、底面パネルと、前面パネルと、背面パネルを有し、
内箱内は一方の側面パネルを切欠き折曲げて形成され、他方の側面パネルまで延びてこの他方の側面パネルにのりづけられた仕切パネルによって複数の室に区画され、
一方の側面に、仕切パネルに対応する形状をもち上方へ開口する切欠部が設けられ、
各仕切パネルの上部は折返されて折返しパネルを形成することを特徴とする内視鏡用クリップ包装箱。
【発明の詳細な説明】
【０００１】
【発明の属する技術分野】
本発明は内視鏡用クリップを収納するための内視鏡用クリップ包装体およびその包装箱に関する。
【０００２】
【従来の技術】
医療分野において体内の止血やマーキングを行なうため、内視鏡用クリップが用いられている。
【０００３】
このような内視鏡用クリップは、例えば５０個程度スポンジに突き刺した状態で保持された後、まとめてプラスチックケース内に収納される。
【０００４】
使用に際しては、まずプラスチックケースから必要な個数のクリップが取出され、オートクレーブ等を用いて滅菌され、その後クリップが使用される。
【０００５】
【発明が解決しようとする課題】
上述のように、使用に際しては、クリップがケースから取出され、その後取出されたクリップが滅菌される。
【０００６】
しかしながら、使用前に必要な個数のクリップを滅菌する作用は煩雑である。このような場合、予めクリップを滅菌しておけばクリップを簡便に使用することができて都合が良い。
【０００７】
本発明はこのような点を考慮してなされたものであり、クリップの滅菌作用が容易で簡単にクリップを使用することができる内視鏡用クリップ包装体およびその包装箱を提供することを目的とする。
【０００８】
【課題を解決するための手段】
本発明は、滅菌ガスまたは蒸気が通過可能な多孔性不織布または多孔性紙からなる矩形状の基材と、基材との間でヒートシールされてヒートシール部を形成するとともに、基材との間で内視鏡用クリップを収納する矩形状のヒートシール性透明フィルムと、を備え、基材とフィルムとの間のヒートシール部は、剥離可能な弱シール部と、弱シール部より強力にヒートシールする強シール部とからなり、ヒートシール部は山形状部分と、この山形状部分に対向する一辺と、山形状部分とこの対向する一辺との間の一対の側辺とからなる五角形状をなし、山形状部分と、一対の側辺とによって弱シール部が構成され、対向する一辺によって強シール部が構成され、ヒートシール性フィルムは、基材の一辺から突出した摘みしろを有し、山形状部分の弱シール部の先端は摘みしろ側を向き、フィルムと基材の残りの辺は互いに揃っており、内視鏡用クリップの基端が山形状部分を向くことを特徴とする内視鏡用クリップ包装体である。
【０００９】
本発明によれば、ヒートシール部の弱シール部を剥離して基材からフィルムを分離することにより、内部に収納された内視鏡用クリップを容易に取出すことができる。
【００１０】
本発明は、外箱と、外箱内に移動自在に配置され内部に内視鏡用クリップを収納した内箱とを備え、内箱は一対の側面パネルと、底面パネルと、前面パネルと、背面パネルを有し、内箱内は一方の側面パネルを切欠き折曲げて形成され、他方の側面パネルまで延びてこの他方の側面パネルにのりづけられた仕切パネルによって複数の室に区画され、一方の側面に、仕切パネルに対応する形状をもち上方へ開口する切欠部が設けられ、各仕切パネルの上部は折返されて折返しパネルを形成することを特徴とする内視鏡用クリップ包装箱である。
【００１１】
本発明によれば、内箱内の仕切パネルによって区画された室内に内視鏡用クリップを収納し、その後内箱を外箱内に挿着することにより、内視鏡用クリップを確実に収納保管することができる。
【００１２】
【発明の実施の形態】
第１の実施の形態
以下、図面を参照して本発明の第１の実施の形態について説明する。
【００１３】
図１乃至図６は本発明の第１の実施の形態を示す図である。
【００１４】
図１（ａ）（ｂ）および図２に示すように、内視鏡用クリップ包装体１は、基材２と、この基材２との間でヒートシールされてヒートシール部６を形成する透明フィルム３とを備え、基材２とフィルム３との間で内視鏡用クリップ１０を収納するようになっている。
【００１５】
このうち基材２としては、例えばタイベック１０５９Ｂ（商品名）等の多孔性不織布を用いることができるが、この他にエスベラン（商品名）またはメディカＪ（商品名）等の多孔性紙を用いてもよい。
【００１６】
また透明フィルム３はヒートシール層４と、フィルム層５とからなり、ヒートシール層４としては５０μ厚のＰＥを用い、フィルム層５としては１２μ厚のＰＥＴを用いることができる。
【００１７】
この場合、フィルム３の層構成は、ＰＥＴ／ＰＥとなるが、その他にＰＥＴ／ＣＰＰ、Ｎｙ／ＰＥ、またはＮｙ／ＣＰＰの層構成を用いてもよい。
【００１８】
また基材２として不織布を用いる場合は、基材２に対してフィルム３のヒートシール層４を直接重ね合わせてヒートシールすることができる。また基材２として紙等のヒートシール性を備えていない材料を用いる場合は、ヒートシール性を良くするため基材２に予めＨＳ剤がコーティングされる。
【００１９】
また図１に示すように、フィルム３は基材２に対してわずかに（例えば２mm）突出して摘みしろ３ａを形成している。このようにフィルム３に摘みしろ３ａを設けることにより、基材２からフィルム３を剥離する際、摘みしろ３ａを摘み上げることにより、フィルム３の剥離が容易となる。
【００２０】
また、図１（ａ）、（ｂ）および図２に示すように、ヒートシール部６は剥離可能な弱シール部６ａと、弱シール部６ａより強力にヒートシールされ剥離することが困難な強シール部６ｂとからなっている。
【００２１】
またヒートシール部６のうち弱シール部６ａには、摘みしろ３ａ側へ突出する山形状部分９が形成され、摘みしろ３ａからフィルム３を剥離した場合に、この山形状部分９から弱シール部６ａが剥離されるようになっている。このように弱シール部６ａに山形状部分９を形成したことにより、ヒートシール部６は全体として五角形状となっている。
【００２２】
次に図１により、各部の寸法について説明する。図１に示すように、内視鏡用クリップ包装体１は全長が６１ｍｍ、全幅が３６ｍｍとなっており、また摘みしろ３ａの幅は２ｍｍとなっている。
【００２３】
さらに弱シール部６ａの幅は７ｍｍとなっており、また強シール部６ｂの幅は８ｍｍとなっている。さらにまた、山形状部分９の幅は８ｍｍとなっている。また摘みしろ３ａから山形状部分９までの距離は８ｍｍとなっている。また弱シール部６ａ間の横方向の間隔は２２ｍｍとなっている。さらに強シール部６ｂから山形状部分９までの距離は２８ｍｍとなっている。
【００２４】
次にこのような構成からなる内視鏡用クリップ包装体の製造方法について述べる。
【００２５】
まず基材２上にクリップ１０が載置され、さらにクリップ１０を覆ってフィルム３が載置される。次にクリップ１０を囲むように基材２とフィルム３とがヒートシールされて、弱シール部６ａと強シール部６ｂとからなるヒートシール部６が形成される。
【００２６】
このようにして図１（ａ）（ｂ）および図２に示すような内視鏡用クリップ包装体１が得られる。
【００２７】
次に内視鏡用クリップ包装体１は、図示しないオートクレーブ内へ配置されてガス滅菌または蒸気滅菌される。オートクレーブ内において不織布または紙からなる基材２を通って滅菌ガスまたは蒸気が内視鏡用クリップ包装体１内に進入し、内部に収納されたクリップ１０の滅菌作用が行われる。
【００２８】
次に内視鏡用クリップ包装体１は、各使用者まで搬送される。次に各使用者は、内視鏡用クリップ包装体１０の摘みしろ３ａを引張り、このことにより基材２からフィルム３を剥離する。
【００２９】
この場合、ヒートシール部６の弱シール部６ａに摘みしろ３ａ側へ突出する山形状部分９が形成されているので、この山形状部分９からスムースに弱シール部６ａを剥離して基材２からフィルム３を分離することができる。次に基材２上のクリップ１０を取り出して使用する
以上のように、本実施の形態によれば、内視鏡用クリップ包装体１は、使用者に渡る前に予めクリップ１０の滅菌が終了しているので、使用者が開封した後に滅菌を行なう必要はない。また基材２からフィルム３を容易に剥離してクリップ１０を取出すことができる。
【００３０】
次にヒートシール部６の形状の変形例について図３乃至図６により説明する。
【００３１】
ヒートシール部６は五角形状に限ることなく、例えば図３に示すように長方形状にしてもよい。
【００３２】
また図４に示すように、ヒートシール部６を五角形状に形成するとともに、ヒートシール部６に内側へ突出する一対の突出部８を設け、この突出部８によってクリップ１０が自由に動かないように保持してもよい。
【００３３】
また図５に示すように、ヒートシール部６に内側へ突出する一対の突出部８を設け、一対の突出部８の山形状部分９側に凹部８ａを形成してもよい。
【００３４】
さらにまた図６に示すように、五角形状ヒートシール部６全体を図５に示すものより横方向に広げてもよい。
【００３５】
さらにまた基材２として不織布または紙を用いた例を示したが、基材２として透明フィルム３と同一の材料（例えばＰＥＴ／ＰＥ）を用い、基材２と透明フィルム３とをヒートシールしてもよい。この場合、基材２を透明フィルム３とからなる内視鏡用クリップ包装体１に対してガンマ線等の放射線が照射され、内視鏡用クリップ包装体１内のクリップ１０が滅菌される。
【００３６】
第２の実施の形態
次に図７乃至図９により、本発明の第２の実施の形態について説明する。
【００３７】
図７乃至図９に示すように、内視鏡用クリップ包装箱１１は略直方体状の外箱１２と、外箱１２内に摺動自在に配置され内部に内視鏡用クリップ包装体１（図１（ａ）（ｂ）参照）を収納した内箱２０とを備えている。
【００３８】
この場合、内視鏡用クリップ包装体１は、図１乃至図６に示す実施の形態に示すように予め内部に内視鏡用クリップ１０を有している。また外箱１２は一対の側面１５、１５と、上面１６と、底面１７とを有している。
【００３９】
さらに内箱２０は一対の側面パネル２１、２２と、底面パネル２３と、前面パネル２４と、背面パネル２５とを有している。また一方の側面パネル２２はその一部が切欠き折曲げられて複数の仕切パネル２６を形成しており、この仕切パネル２６によって内箱２０内に上方に開口した複数の室３１が形成されている。そして前述した内視鏡用クリップ包装体１は、内箱２０の各室３１内に収納される。また、一方の側面パネル２２の切欠かれた部分は仕切部２９を形成している。
【００４０】
また各仕切パネル２６は、その上部が折り返されて折返パネル２７を形成している。各仕切パネル２６の折返パネル２７は各室３１の一部を覆い、内視鏡用クリップ包装体１が外方へ飛出さないようになっている。
【００４１】
また各仕切パネル２６のうち他方の側面パネル２２側にのりしろ２８が設けられ、こののりしろ２８を他方の側面パネル２２内面に接着することにより、各仕切パネル２６が内箱２０内で堅固に固定される。
【００４２】
さらに内箱２０の一方の側面パネル２１外面には表示部３０が設けられ、この表示部３０は外箱１２の側面１５に設けられた表示窓１４を介して外方から確認することができる。また外箱１２の上面１６には、内箱１２の各室３１内を確認するための覗き窓１３が設けられている。
【００４３】
次に図８および図９により内視鏡用クリップ包装箱の製造方法について説明する。
【００４４】
まず内箱２０の作製方法について述べる。図８に示すように、内箱用ブランク２０ａを準備する。内箱用ブランク２０ａは、一対の側面パネル２１、２２となる一対の側面部２１ａ、２２ａと、底面パネル２３となる底面部２３ａ、２３ａと、前面パネル２４となる前面部２４ａと、背面パネル２５となる背面部２５ａとを有している。
【００４５】
また一方の側面部２１ａの一部に折曲げられて仕切パネル２６となる複数の仕切部２６ａが設けられている。また図８に示すように、各仕切部２６ａの左側部分はのりしろ２８ａを形成するのりしろ部２８となっており、仕切部２６ａの上方部分は折返パネル２７となる折返部２７ａとなっている。
【００４６】
このような構成からなる内箱用ブランク２０ａを箱状に組立て、更に一方の側面部２１ａの仕切部２６ａを折曲げて仕切パネル２６を形成する。次にのりしろ部２８ａを他方の側面部２２ｂ内にのりづけてのりしろ２８を形成し、さらに折返部２７ａを折返して折返しパネル２７を形成する。
【００４７】
このようにして図７に示す内箱２０が得られる。
【００４８】
次に外箱１２の作製方法について述べる。図９に示すように、まず外箱用ブランク１２ａを準備する。
【００４９】
外箱用ブランク１２ａは側面１５、１５となる側面部１５ａ、１５ａと、上面１６となる上面部１６ａと底面１７となる底面部１７ａとを有している。また、一方の側面部１５に表示窓１４が形成され、さらに上面部１６ａに覗き窓１３が設けられている。
【００５０】
このような構成からなる外箱用ブランク１２ａを箱状に組立てることにより外箱１２が得られる。
【００５１】
次に内箱２０の各室３１内に内視鏡用クリップ包装体１を収納し、この内箱２０を外箱１２内に挿着することにより内視鏡用クリップ包装箱１１が得られる。
【００５２】
使用に際して使用者は外箱１２から内箱２０を引出す。次に内箱２０の切欠部２９から指を各室３１内に進入させて、室３１内に収納された内視鏡用クリップ包装体１を取出すことができる。
【００５３】
なお、外箱１２または内箱２０の外面に、収納した内視鏡クリップ１０の種類（大きさ、形状）に対応した色が着色されている。このような色は、外箱１２または内箱２０の外面全域に、あるいは部分的に着色され、この色を外方からみるだけで、表示部３０を確認することなく内部に収納した内視鏡クリップ１０の種類を特定することができる。
【００５４】
色の着色は、外箱または内箱１２の外面に印刷したり、予め着色されたラベルを張付けることにより行なうことができる。
【００５５】
以上のように本実施の形態によれば、内視鏡用クリップ包装体１を内箱内に確実に収納して保管することができる。また使用に際しては、内箱２０を外箱１２から引出し指を各室３１内に進入させることにより容易に内視鏡用クリップ包装体１を取出すことができる。また上述した外箱１２および内箱２０を、外箱用ブランク１２ａおよび内箱用ブランク２０ａから容易に作製することができる。
【００５６】
（付記項１）
基材と、
基材との間でヒートシールされてヒートシール部を形成するとともに、基材との間で内視鏡用クリップを収納するフィルムと、を備えたことを特徴とする内視鏡用クリップ包装体。
【００５７】
（付記項２）
外箱と、
外箱内に移動自在に配置され内部に内視鏡用クリップを収納した内箱とを備え、
内箱は一対の側面パネルと、底面パネルと、全面パネルと、背面パネルを有し、
内箱内は一方の側面パネルを切欠き折曲げて形成された仕切パネルによって複数の室に区画されていることを特徴とする内視鏡用クリップ包装箱。
【００５８】
（付記項３）
基材とフィルムとの間のヒートシール部は、剥離可能な弱シール部と、弱シール部より強力にヒートシールする強シール部とからなることを特徴とする付記項１記載の内視鏡用クリップ包装体。
【００５９】
（付記項４）
基材とフィルムのいずれか一方は、他方から突出した摘みしろを有することを特徴とする付記項１記載の内視鏡用クリップ包装体。
【００６０】
（付記項５）
弱シール部の一部は山形状をなしていることを特徴とする付記項３記載の内視鏡用クリップ包装体。
【００６１】
（付記項６）
基材とフィルムのいずれか一方は、他方から突出した摘みしろを有し、山形状の弱シール部の先端は摘みしろ側を向いていることを特徴とする付記項５記載の内視鏡用クリップ包装体。
【００６２】
（付記項７）
基材は不織布からなることを特徴とする付記項１記載の内視鏡用クリップ包装体。
【００６３】
（付記項８）
各仕切パネルの上部は折返されて折返しパネルを形成することを特徴とする付記項２記載の内視鏡用クリップ包装箱。
【００６４】
（付記項９）
各仕切パネルは他方の側面パネル側にのりしろを有し、こののりしろは他方の側面パネルに接着されていることを特徴とする付記項２記載の内視鏡用クリップ包装箱。
【００６５】
（付記項１０）
外箱の上面に、内箱の各室を覗く覗き窓を設けたことを特徴とする付記項２記載の内視鏡用クリップ包装箱。
【００６６】
（付記項１１）
内箱の側面パネルに表示部を設け、外箱の側面に内箱の表示部を表示する表示窓を設けたことを特徴とする付記項２記載の内視鏡用クリップ包装箱。
【００６７】
（付記項１２）
外箱または内箱のうち、少なくとも一方の外面に、収納した内視鏡用クリップの種類に対応した色が着色されていることを特徴とする付記項２記載の内視鏡用クリップ包装箱。
【００６８】
【発明の効果】
以上のように本発明によれば内視鏡用クリップを確実に収納しかつ取出しが容易な内視鏡用クリップ包装体を提供することができる。また内視鏡用クリップ包装体を使用前に予め滅菌しておくことにより、滅菌作業が容易となる。
【００６９】
さらに内視鏡用クリップを確実に収納することができる内視鏡用クリップ包装箱を提供することができる。また側面パネルを切欠き折曲げるだけで仕切パネルを形成することができ、包装箱の作製が容易となる。
【図面の簡単な説明】
【図１】本発明による内視鏡用クリップ包装体の一実施の形態を示す図。
【図２】内視鏡用クリップ包装体のヒートシール部を示す図。
【図３】内視鏡用クリップ包装体のヒートシール部の変形例を示す図。
【図４】内視鏡用クリップ包装体のヒートシール部の変形例を示す図。
【図５】内視鏡用クリップ包装体のヒートシール部の変形例を示す図。
【図６】内視鏡用クリップ包装体のヒートシール部の変形例を示す図。
【図７】本発明による内視鏡用クリップ包装体の一実施の形態を示す図。
【図８】内箱用ブランクを示す平面図。
【図９】外箱用ブランクを示す平面図。
【符号の説明】
１  内視鏡用クリップ包装体
２  基材
３  透明フィルム
４  ヒートシール
５  フィルム層
６  ヒートシール部
６ａ  弱シール部
６ｂ  強シール部
９  山形状部分
１０  クリップ
１１  内視鏡用クリップ包装箱
１２  外箱
１３  覗き窓
１４  表示窓
１５  側面
１６  上面
２０  内箱
２１、２２  側面パネル
２３  底面パネル
２４  前面パネル
２５  背面パネル
２６  仕切パネル
２７  折返パネル
２８  のりしろ
２９  切欠部
３０  表示部
３１  室
【図１】
0004022022.tif 000002
【図２】
0004022022.tif 000003
【図３】
0004022022.tif 000004
【図４】
0004022022.tif 000005
【図５】
0004022022.tif 000006
【図６】
0004022022.tif 000007
【図７】
0004022022.tif 000008
【図８】
0004022022.tif 000009
【図９】
0004022022.tif 000010